【手続補正書】
【提出日】平成31年3月15日(2019.3.15)
【手続補正１】
【補正対象書類名】特許請求の範囲
【補正対象項目名】請求項１
【補正方法】変更
【補正の内容】
【請求項１】
結晶性ポリエステル樹脂、非晶性ポリエステル樹脂、炭化水素系ワックス及びワックス分散剤を含有するトナー粒子を有するトナーであって、
該トナー粒子は、熱球形化粒子であり、
該結晶性ポリエステル樹脂は、結晶性ポリエステル部位と非晶性ビニル部位を有するハイブリッド樹脂であり、
該結晶性ポリエステル樹脂の該結晶性ポリエステル部位と該非晶性ビニル部位との質量比（結晶部位／非晶部位）が、７０／３０〜９８／２であることを特徴とするトナー。
【手続補正２】
【補正対象書類名】特許請求の範囲
【補正対象項目名】請求項９
【補正方法】変更
【補正の内容】
【請求項９】
前記ワックス分散剤が、ポリオレフィンにスチレンアクリル系ポリマーが結合しているグラフト重合体であって、
該スチレンアクリル系ポリマーが、下記式（１）：
2017167343.tif 000001
［前記式（１）中、Ｒ１は水素原子又はメチル基を表し、Ｒ２は飽和脂環式基を表す。］で表されるモノマーユニットを含有する請求項１〜８のいずれか一項に記載のトナー。
【手続補正３】
【補正対象書類名】特許請求の範囲
【補正対象項目名】請求項１１
【補正方法】変更
【補正の内容】
【請求項１１】
結晶性ポリエステル樹脂、非晶性ポリエステル樹脂、炭化水素系ワックス及びワックス分散剤を含有するトナー粒子を含むトナーの製造方法であって、
該トナー粒子を熱球形化処理する工程を含み、
該結晶性ポリエステル樹脂は、結晶性ポリエステル部位と非晶性ビニル部位を有するハイブリッド樹脂であり、
該結晶性ポリエステル樹脂の該結晶性ポリエステル部位と該非晶性ビニル部位との質量比（結晶部位／非晶部位）が、７０／３０〜９８／２であることを特徴とするトナーの製造方法。
【手続補正４】
【補正対象書類名】特許請求の範囲
【補正対象項目名】請求項１７
【補正方法】変更
【補正の内容】
【請求項１７】
前記ワックス分散剤が、ポリオレフィンにスチレンアクリル系ポリマーが結合しているグラフト重合体であって、
該スチレンアクリル系ポリマーが、下記式（１）：
2017167343.tif 000002
［前記式（１）中、Ｒ１は水素原子又はメチル基を表し、Ｒ２は飽和脂環式基を表す。］で表されるモノマーユニットを含有する請求項１１〜１６のいずれか一項に記載のトナーの製造方法。
【手続補正５】
【補正対象書類名】明細書
【補正対象項目名】０００８
【補正方法】変更
【補正の内容】
【０００８】
すなわち、本発明は、結晶性ポリエステル樹脂、非晶性ポリエステル樹脂、炭化水素系ワックス及び、ワックス分散剤を含有するトナー粒子を有するトナーであって、
該トナー粒子は、熱球形化粒子であり、
該結晶性ポリエステル樹脂は、結晶性ポリエステル部位と非晶性ビニル部位を有するハイブリッド樹脂であり、
該結晶性ポリエステル樹脂の該結晶性ポリエステル部位と該非晶性ビニル部位との質量比（結晶部位／非晶部位）が、７０／３０〜９８／２であることを特徴とするトナーに関する。
また、本発明は、結晶性ポリエステル樹脂、非晶性ポリエステル樹脂、炭化水素系ワックス及びワックス分散剤を含有するトナー粒子を含むトナーの製造方法であって、
該トナー粒子を熱球形化処理する工程を含み、
該結晶性ポリエステル樹脂は、結晶性ポリエステル部位と非晶性ビニル部位を有するハイブリッド樹脂であり、
該結晶性ポリエステル樹脂の該結晶性ポリエステル部位と該非晶性ビニル部位との質量
比（結晶部位／非晶部位）が、７０／３０〜９８／２であることを特徴とするトナーの製造方法に関する。
【手続補正６】
【補正対象書類名】明細書
【補正対象項目名】００５８
【補正方法】変更
【補正の内容】
【００５８】
ワックス分散剤は、ポリオレフィンにスチレンアクリル系ポリマーがグラフト重合している重合体を含有し、該スチレンアクリル系ポリマーが飽和脂環式化合物由来の構造部位を有している。
該ポリオレフィンは、特に限定されることはないが、トナー粒子中でのワックスとの親和性の観点から、上述した本発明のトナーに用いられる炭化水素系ワックス（離型剤）から選択するとよい。
本発明においては、該ポリオレフィンが、低分子量ポリエチレン、低分子量ポリプロピレン、アルキレン共重合体、マイクロクリスタリンワックス、パラフィンワックス、及びフィッシャートロプシュワックスのような炭化水素系ワックスであることが好適に例示できる。上記ワックス及びワックス分散剤に用いるポリオレフィンに関し、低分子量とは、好ましくは分子量２００〜１００００である。
【手続補正７】
【補正対象書類名】明細書
【補正対象項目名】００７２
【補正方法】変更
【補正の内容】
【００７２】
供給された混合物を熱処理するための熱は、熱風供給手段７から供給され、分配部材１２で分配され、熱風を旋回させるための旋回部材１３により、処理室内に熱風を螺旋状に旋回させて導入される。その構成としては、熱風を旋回させるための旋回部材１３が、複数のブレードを有しており、その枚数や角度により、熱風の旋回を制御することができる。処理室内に供給される熱風は、熱風供給手段７の出口部における温度が１００〜３００℃であることが好ましく、１３０〜１７０℃であることがより好ましい。熱風供給手段の出口部における温度が上記の範囲内であれば、混合物を加熱しすぎることによるトナー粒子の融着や合一を防止しつつ、トナー粒子を均一に球形化処理することが可能となる。熱風は熱風供給手段出口１１から供給される。
更に熱処理されたトナー粒子は冷風供給手段８から供給される冷風によって冷却され、冷風供給手段８から供給される温度は−２０〜３０℃であることが好ましい。冷風の温度が上記の範囲内であれば、トナー粒子を効率的に冷却することができ、混合物の均一な球形化処理を阻害することなく、トナー粒子の融着や合一を防止することができる。冷風の絶対水分量は、０．５ｇ／ｍ３以上１５．０ｇ/ｍ３以下であることが好ましい。
【手続補正８】
【補正対象書類名】明細書
【補正対象項目名】００７９
【補正方法】変更
【補正の内容】
【００７９】
＜結晶性ポリエステル樹脂中の非晶性ビニル部の重量平均分子量、及び結晶性ポリエステル樹脂中の結晶性ポリエステル部位と非晶性ビニル部位の質量比の測定＞
結晶性ポリエステル樹脂中の非晶性ビニル部の分子量の測定、及び結晶性樹脂中の結晶性ポリエステル部位と非晶性ビニル部位の質量比の測定は、結晶性ポリエステル樹脂のポリエステル部位を加水分解させて測定を行う。
具体的な方法は、結晶性ポリエステル樹脂３００ｍｇにジオキサン５０ｍｌ、１０質量％の水酸化カリウム水溶液１０ｍｌを加え、市販の水平型振とう機を用いて温度７０℃で１秒間に約２往復の速度で６時間振とうさせてポリエステル部位を加水分解させる。その後、溶媒を減圧留去し、さらに９０℃雰囲気中減圧で２４時間乾燥させ、ビニル部の分子量の測定用試料を作成する。得られた測定用試料の質量をＡ（ｍｇ）とする。そして、次式により結晶性ポリエステル樹脂中の非晶性ビニル部位の質量比（質量％）を算出する。
結晶性ポリエステル樹脂中の非晶性ビニル部位の質量比（質量％）＝Ａ／３００×１００
次に、測定用試料のうち０．０３ｇをｏ−ジクロロベンゼン１０ｍｌに分散して溶解後、１３５℃において２４時間放置し溶解させる。そして、得られた溶液を、ポア径が０．２μｍの耐溶剤性メンブランフィルター「マエショリディスク」（東ソー社製）で濾過してサンプル溶液を得る。このサンプル溶液を用いて、上記結晶性ポリエステル樹脂の重量平均分子量と同様の条件にて分析を行う。
【手続補正９】
【補正対象書類名】明細書
【補正対象項目名】０１２０
【補正方法】変更
【補正の内容】
【０１２０】
１．原料定量供給手段、２．圧縮気体調整手段、３．導入管、４．突起状部材、５．供給管、６．処理室、７．熱風供給手段、８．冷風供給手段、９．規制手段、１０．回収手段、１１．熱風供給手段出口、１２．分配部材、１３．旋回部材、１４．粉体粒子供給口、１００．ファラデー・ケージ、１０１．内筒、１０２．外筒、１０３．フィルター、１０４．絶縁部材